(57)【特許請求の範囲】
【請求項１】
前方側壁部と後方側壁部と一対の側方側壁部とからなる４角形の断面形状を備え、後方側壁部が前方側壁部及び側方側壁部の上辺よりも上方に延設して、前方側壁部の上辺と、一対の側方側壁部の上辺と、後方側壁部の内側面とによって４方を囲まれる４角形の開口部が形成されると共に、一対の側方側壁部の上辺に連設する内フラップを各々内側に折り曲げ、前方側壁部の上辺に連設し差込みフラップ片を備える外フラップを内フラップに折り重ね、差込みフラップ片を後方側壁部の内側面と折り曲げた内フラップとの間の隙間に差込んで係止することにより開口部を閉塞する、シートを組み立てて形成される箱であって、
前記差込みフラップ片と前記外フラップとを連設する差込み折曲げ線から派生させて、前記差込みフラップ片の差込み係止状態を解除して前記開口部を開放する際の操作を容易にする指欠け開放操作部が設けられており、
前記指欠け開放操作部が、前記差込み折曲げ線と交差する第１切込みと、前記差込み折曲げ線の方向に沿って前記差込みフラップ片の側に設けられた第２切込みとを連続させることにより、前記差込み折曲げ線から後方側壁部の側に張り出して形成される指掛け片を含んでおり、
前記第２切込みの中央部分から前記折曲げ線に沿った方向と垂直に交差する方向に延設して、前記差込みフラップ片に第３切込みが設けられている箱。
【請求項２】
前方側壁部と後方側壁部と一対の側方側壁部とからなる４角形の断面形状を備え、後方側壁部が前方側壁部及び側方側壁部の上辺よりも上方に延設して、前方側壁部の上辺と、一対の側方側壁部の上辺と、後方側壁部の内側面とによって４方を囲まれる４角形の開口部が形成されると共に、一対の側方側壁部の上辺に連設する内フラップを各々内側に折り曲げ、前方側壁部の上辺に連設し差込みフラップ片を備える外フラップを内フラップに折り重ね、差込みフラップ片を後方側壁部の内側面と折り曲げた内フラップとの間の隙間に差込んで係止することにより開口部を閉塞する、シートを組み立てて形成される箱であって、
前記差込みフラップ片と前記外フラップとを連設する差込み折曲げ線から派生させて、前記差込みフラップ片の差込み係止状態を解除して前記開口部を開放する際の操作を容易にする指欠け開放操作部が設けられており、
前記指欠け開放操作部が、前記差込み折曲げ線と交差する第１切込みと、前記差込み折曲げ線の方向に沿って前記差込みフラップ片の側に設けられた第２切込みとを連続させることにより、前記差込み折曲げ線から後方側壁部の側に張り出して形成される指掛け片を含んでおり、
前記指掛け片の先端縁部が、前記前方側壁部の側に凹状に湾曲する湾曲形状部分となっている箱。
【請求項３】
前記差込み折曲げ線の両端部分に形成した切込みに、前記内フラップの基端部分を係止することで前記開口部の閉塞を維持するロック機構が設けられている請求項１又は２に記載の箱。
【請求項４】
前記シートがプラスチックシートである請求項１〜３のいずれか１項に記載の箱。
【発明の詳細な説明】
【技術分野】
【０００１】
本発明は、前方側壁部と後方側壁部と一対の側方側壁部とからなる４角形の断面形状を備え、後方側壁部が前方側壁部及び側方側壁部の上辺よりも上方に延設している箱に関する。
【背景技術】
【０００２】
例えば、化粧品類、薬品類、菓子類、文房具類や、その他の日用品等を包装する包装箱として、６面体形状の箱が多用されている。箱を６面体形状に組み立てる場合、４方を囲む側壁部によって、上下の端面が開口する断面４角形の筒状体を組み立てた後、側壁部の上縁や下縁に連設した内フラップや外フラップを折り曲げて、４角形の開口部を閉塞する。
【０００３】
箱を６面体形状に組み立てる場合、厚紙やプラスチックなどの弾性を有している材料を用いると、折曲げ線に沿って折り曲げて立体形状に組み立てられた箱体の各面は湾曲しがちになる。そのような箱は、差込みフラップ片を単に開口部の内側に差し込んで底面部又は上面部を形成しても、材料の弾性によって差込みフラップ片が開口部の内側から抜け出やすくなる。このような差込みフラップ片の抜け出しを防止することを目的として、例えば差込みフラップ片の外フラップからの折曲げ線の両端部分に係止用の切込みを形成し、この切込みに、内フラップの基端部分を係止することによるロック機構が設けられる（例えば、特許文献１参照）。
【０００４】
また、近年、後方側壁部を前方側壁部及び側方側壁部の上辺よりも上方に延設させて、いわゆる看板部を設けることにより、包装箱としての表示機能を向上させた箱（例えば、特許文献２参照）が頻繁に用いられている。看板部が設けられた箱においても、前方側壁部の上辺と、一対の側方側壁部の上辺と、後方側壁部の内側面とによって４方を囲まれる４角形の開口部は、一対の側方側壁部の上辺に連設する内フラップを各々内側に折り曲げ、前方側壁部の上辺に連設し差込みフラップ片を備える外フラップを内フラップに折り重ね、差込みフラップ片を後方側壁部の内側面と折り曲げた内フラップとの間の隙間に差込んで係止することにより閉塞される。また差込みフラップ片と外フラップとを連設する折曲げ線の両端部分に形成した切込みに、内フラップの基端部分を係止することで開口部の閉塞状態を維持するロック機構が設けられる。
【特許文献１】実開平６−４２６３２号公報
【特許文献２】特開２００４−６７１１９号公報
【発明の開示】
【発明が解決しようとする課題】
【０００５】
開口部の閉塞状態を維持するロック機構が設けられた箱では、閉塞時には相当の係止力で差込みフラップ片を係止しておく必要がある他、開口部を開放して収容された製品を取り出す際には、差込みフラップ片の係止を速やかに解除させて、製品をスムーズに取り出せるようにする必要がある。特に、後方側壁部が前方側壁部及び側方側壁部の上辺よりも上方に延設して看板部が設けられた箱においては、看板部が邪魔になって、後方側壁部の内側面と内フラップとの間の隙間から差込みフラップ片を指で引き抜くことが難しいため、ロック機構による係止を解除しつつ、差込みフラップ片を指で引き抜く操作を容易にする工夫か必要である。
【０００６】
本発明は、後方側壁部が前方側壁部及び側方側壁部の上辺よりも上方に延設している箱において、開口部を開放する際に、後方側壁部の内側面と内フラップとの間の隙間から差込みフラップ片を指で引き抜く操作を容易に行うことのできる箱を提供することを目的とする。
【課題を解決するための手段】
【０００７】
本発明は、前方側壁部と後方側壁部と一対の側方側壁部とからなる４角形の断面形状を備え、後方側壁部が前方側壁部及び側方側壁部の上辺よりも上方に延設して、前方側壁部の上辺と、一対の側方側壁部の上辺と、後方側壁部の内側面とによって４方を囲まれる４角形の開口部が形成されると共に、一対の側方側壁部の上辺に連設する内フラップを各々内側に折り曲げ、前方側壁部の上辺に連設し差込みフラップ片を備える外フラップを内フラップに折り重ね、差込みフラップ片を後方側壁部の内側面と折り曲げた内フラップとの間の隙間に差込んで係止することにより開口部を閉塞する、シートを組み立てて形成される箱であって、前記差込みフラップ片と前記外フラップとを連設する差込み折曲げ線から派生させて、前記差込みフラップ片の差込み係止状態を解除して前記開口部を開放する際の操作を容易にする指欠け開放操作部が設けられている箱を提供することにより、上記目的を達成したものである。
【発明の効果】
【０００８】
本発明の箱によれば、後方側壁部が前方側壁部及び側方側壁部の上辺よりも上方に延設している箱において、開口部を開放する際に、後方側壁部の内側面と内フラップとの間の隙間から差込みフラップ片を指で引き抜く操作を容易に行うことができる。
【発明を実施するための最良の形態】
【０００９】
本発明の好ましい一実施形態に係る箱１０は、図１（ａ），（ｂ）及び図２に示すように、所定の形状に切り抜き形成されたプラスチックシート１１を折り曲げて立体形状に組み立てることにより、収容物として例えば化粧品類を収容する包装箱として用いられものであり、前方側壁部１２ａと、一対の側方側壁部１２ｂと、後方側壁部１２ｃとによって４方を囲まれる、断面４角形の筒状体における上面及び底面の４角形の開口部１７を、後述する一対の内フラップ１３と、差し込みフラップ片１４を備える外フラップ１５とにより閉塞して、６面体形状として例えば幅Ｂが２５〜６０ｍｍ、奥行きＬが２０〜６０ｍｍ、高さＨが８０〜１８０ｍｍ程度の大きさの、縦長の直方体形状に形成される。
【００１０】
そして、本実施形態の箱１０は、前方側壁部１２ａと後方側壁部１２ｃと一対の側方側壁部１２ｂとからなる４角形の断面形状を備え、後方側壁部１２ｃが前方側壁部１２ａ及び側方側壁部１２ｂの上辺１８，１９よりも上方に延設して、前方側壁部１２ａの上辺１８と、一対の側方側壁部１２ｂの上辺１９と、後方側壁部１２ｃの内側面とによって４方を囲まれる４角形の開口部１７が形成されると共に、一対の側方側壁部１２ｂの上辺１９に連設する内フラップ１３を各々内側に折り曲げ、前方側壁部１２ａの上辺１８に連設し差込みフラップ片１４を備える外フラップ１５を内フラップ１３に折り重ね、差込みフラップ片１４を後方側壁部１２ｃの内側面と折り曲げた内フラップ１３との間の隙間に差込んで係止することにより開口部１７を閉塞する、シートとして好ましくはプラスチックシートを組み立てて形成される箱であって、差込みフラップ片１４と外フラップ１５とを連設する差込み折曲げ線２０から派生させて、差込みフラップ片１７の差込み係止状態を解除して上面の開口部１７を開放する際の操作を容易にする指欠け開放操作部１６が設けられている。
【００１１】
また、本実施形態では、指欠け開放操作部１６は、図３にも示すように、差込み折曲げ線２０と交差する第１切込み２１ａと、差込み折曲げ線２０の方向に沿って差込みフラップ片１７の側に設けられた第２切込み２１ｂとを連続させることにより、差込み折曲げ線２０から後方側壁部１２ｃの側に張り出して形成される指掛け片２２を含んで構成されている。
【００１２】
さらに、本実施形態では、差込み折曲げ線２０の両端部分に形成した係止切込み２３に、内フラップ１３の基端部分１３ａを係止することで開口部１７の閉塞を維持するロック機構が設けられている。
【００１３】
本実施形態の箱１０を形成するためのプラスチックシート１１は、プラスチックとして例えばポリプロピレン、ポリエチレンテレフタレート、ポリ塩化ビニル、ポリスチレン等からなる、好ましくは０．３〜０．５ｍｍ、更に好ましくは０．３５〜０．４５ｍｍの厚さを備える薄板状のシート材料であって、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備えている。
【００１４】
また、プラスチックシート１１は、図２に示すように、箱１０を展開した形状となるように、例えばシート材料を打ち抜いて形成されると共に、例えば半切れ線や罫線からなる折曲げ線２０，２５，２６や、全切れ線からなる切込み２１ａ，２１ｂ，２１ｃ，２３等が適宜の位置に設けられて、６面体形状に組み立てる作業を容易に行うことができるようになっている。すなわち、例えば縦長の長方形の前方側壁部１２ａの両側には、縦方向折曲げ線２５を介して縦長の長方形の側方側壁部１２ｂが各々連設しており、一方の側方側壁部１２ｂの側方には、縦方向折曲げ線２５を介して縦長の長方形の後方側壁部１２ｃが連設している。また後方側壁部１２ｃの側方には、縦方向折曲げ線２５を介して縦長帯状の接合片２４が連設している。さらに、各側方側壁部１２ｂの上方及び下方には、横方向折曲げ線２６を介して内フラップ１３が各々連設していると共に、前方側壁部１２ａの上方、及び後方側壁部１２ｃの下方には、横方向折曲げ線２６を介して差込みフラップ片１４を備える外フラップ１５が各々連設している。
【００１５】
本実施形態では、後方側壁部１２ｃは、前方側壁部１２ａ及び側方側壁部１２ｂの上辺よりも上方に延設しており、この上方延設部分が、装飾やその他の表示を施したり、陳列し易くするための看板部２７として機能する。
【００１６】
さらに、本実施形態では、外フラップ１５の差込み折曲げ線２０の横方向折曲げ線２６からの間隔Ｌ’は、係止切込み２３が形成された両端部分を除いて、プラスチック箱１０の奥行きＬに相当する側方側壁部１２ｂの幅よりも１〜２ｍｍ程度短くなるように、横方向折曲げ線２６の側に食い込んで設けられている。これによって、上面及び底面の開口部１７を内フラップ１３及び外フラップ１５により閉塞してロックする際に（図１（ａ），（ｂ）参照）、係止切込み２３によって外フラップ１５から切り離された差込みフラップ片１４の両端部分が、内フラップ１３の基端部分１３ａの下方に各々スムーズに入り込むことが可能になり、十分な係止幅を確保して、安定したロック状態を得ることが可能になる。
【００１７】
さらにまた、本実施形態では、差込み折曲げ線２０の両端部分に形成した係止切込み２３は、例えば３〜５ｍｍの長さで設けられると共に、差込み折曲げ線２０に向けて斜めに延設する切込み部分を介して、横方向折曲げ線２６の側に食い込んで設けられた差込み折曲げ線２０に接続している。また、内フラップ１３の基端部分１３ａは、例えば係止切込み２３の長さに対応させた長さを有する、内フラップ１３の側縁から一段幅が広がった拡幅段差部分として設けられており、この基端部分１３ａは、内フラップ１３及び差込みフラップ片１４の弾性により係止切込み２３に差し込まれるようにして係止されて、係止切込み２３と共に強固且つ安定したロック機構を形成することになる。
【００１８】
そして、本実施形態では、上面の開口部１７を外フラップ１５によって閉塞する際に後方側壁部１２ｃの内側面に沿って差込まれる差込みフラップ片１４の、外フラップ１５との間の差込み折曲げ線２０には、これの中央部分に、当該差込み折曲げ線２０と交差する一対の第１切込み２１ａと、差込み折曲げ線２０の方向に沿って差込みフラップ片１４の側に設けられた第２切込み２１ｂとが略コの字形状を描くように連続して形成されている（図３参照）。これらの切込み２１ａ，２１ｂによって切り離されることにより、差込みフラップ片１４を外フラップ１５に対して折り曲げた際に、差込み折曲げ線２０から後方側壁部１２ｃの側に張り出す指掛け片２２が、外フラップ１５の面方向に沿って、例えば５〜２０ｍｍの幅、及び０．５〜２．０ｍｍの突出長さで差込み折曲げ線２０から突出して指欠け開放操作部１６として設けられる。また第１切込み２１ａは、差込み折曲げ線２０から前方側壁部１２ａの側にも例えば１．０〜５．０ｍｍの長さで食い込んで形成されることにより、指掛け片２２は、上下に反るようにして容易に弾性変形できるようになっている。
【００１９】
さらに、本実施形態では、第２切込み２１ｂの中央部分から差込み折曲げ線２０に沿った方向と垂直に交差する方向に延設して、差込みフラップ片１４に第３切込み２１ｃが例えば３．０〜１０．０ｍｍの長さで設けられている。さらにまた、指掛け片２２の先端縁部は、前方側壁部１２ａの側に凹状に湾曲する湾曲形状部分２２ａとなっている。これらの第３切込み２１ｃや指掛け片２２の湾曲形状部分２２ａもまた、後述するように、差込みフラップ片１４の差込み係止状態を解除して上面の開口部１７を開放する際の操作を容易にする指欠け開放操作部１６として機能する。
【００２０】
上述のように形成されたプラスチックシート１１を用いて箱１０を組み立てるには、まず各縦方向折曲げ線２５を略９０度折り曲げて、一方の側方側壁部１２ｂの側縁部に沿って接合片２４を接着剤や熱融着等を介して接合することにより、前方側壁部１２ａと、一対の側方側壁部１２ｂと、後方側壁部１２ｃとによって４方を囲まれる、断面４角形の筒状体を形成する。しかる後に、かかる筒状体の底面における４角形の開口部（図示せず。）の周縁の、各側方側壁部１２ｂの下辺に連設する内フラップ１３を各々内側に折り曲げ、後方側壁部１２ｃの下辺に連設する、差込みフラップ片１４を備える外フラップ１５を折り重ね、差込みフラップ片１４を開口部の内側に差し込んで底面の開口部を閉塞する。また、差込み折曲げ線２０の両端部分に形成した係止切込み２３に、内フラップ１３の基端部分１３ａを係止することによって、閉塞状態を強固且つ安定した状態でロックする。
【００２１】
箱１０の底面を閉塞したら、上面の開口部１７から内部に化粧品類等の収容物を収容した後に、図１（ａ），（ｂ）に示すように、底面の開口部と同様にして上面の開口部１７を閉塞する。すなわち、筒状体の上面における４角形の開口部１７の周縁の、各側方側壁部１２ｂの上辺１９に連設する内フラップ１３を各々内側に折り曲げ、前方側壁部１２ａの上辺１８に連設する、差し込みフラップ片１４を備える外フラップ１５を内フラップ１３の上に折り重ね、差し込みフラップ片１４を後方側壁部１２ｃの内側面と、内側に折り曲げた内フラップ１３の側縁との間の隙間に差し込んで、開口部１７を閉塞する。また、差込み折曲げ線２０の両端部分に形成した係止切込み２３に、内フラップ１３の基端部分１３ａを係止することによって、閉塞状態を強固且つ安定した状態でロックする。
【００２２】
一方、上面の開口部１７を開放して収容された収容物を取り出す際には、後方側壁部１２ｃ、側方側壁部１２ｂ、外フラップ１５、差込みフラップ片１４等を弾性変形させながら、後方側壁部１２ｃの内側面と差し込まれた差込みフラップ片１４との間の隙間に指を挿入する。僅かでも指が挿入されれば、指先が指掛け片２２にスムーズに係止されるので、このように指先を指掛け片２２に係止した状態で、差込みフラップ片１４及び外フラップ１５が連接する差込み折曲げ線２０の部分を引き上げることにより、係止切込み２３と内フラップ１３の基端部分１３ａとによるロック機構の係止を解除しつつ、差込みフラップ片１４を指で容易に引き抜くことが可能になる。
【００２３】
また、本実施形態では、指掛け片２２の先端縁部が湾曲形状部分２２ａとなっているので、この湾曲形状部分２２ａに指の腹を沿わせるようにして、指掛け片２２を介して差込みフラップ片１４を引き抜く操作をさらに容易に行うことが可能になり、また後方側壁部１２ｃの内側面と差込みフラップ片１４との間の隙間にさらにスムーズに指を挿入することが可能になる。さらに、第２切込み２１ｂの中央部分から延設して差込みフラップ片１４に第３切込み２１ｃが設けられているので、後方側壁部１２ｃの内側面と差込みフラップ片１４との間に差し込んだ指先を、前方側壁部１２ａの側に折り曲げるようにしながら、第３切込み２１ｃを押し広げつつ指先を外フラップ１５の下方に回すことが可能になり、これによってさらに大きな力で差込みフラップ片１４を引き抜くことが可能になる。さらにまた、第１切込み２１ａは、差込み折曲げ線２０から前方側壁部１２ａの側にも食い込んで形成されることにより、指掛け片２２を上方に反らせながら、指先を指掛け片２２に係止してフラップ片１４を引き抜く操作をさらに容易に行うことが可能なる。
【００２４】
したがって、本実施形態によれば、指掛け片２２、湾曲形状部分２２ａ、第３切込み２１ｃ等が設けられていることにより、これらを差込み折曲げ線２０から派生させて形成した指欠け開放操作部１６として、後方側壁部１２ｃが前方側壁部１２ａ及び側方側壁部１２ｂの上辺１８，１９よりも上方に延設している箱１０において、開口部１７を開放する際に、後方側壁部１２ｃの内側面と内フラップ１３との間の隙間から差込みフラップ片１４を指で引き抜く操作を容易に行うことが可能になる。
【００２５】
図４（ａ）〜（ｅ）は、指欠け開放操作部１６の他の形態を例示するものである。図４（ａ）は、差込み折曲げ線２０の中央部分に設けられた指掛け片２２の先端縁部に凹状に湾曲する湾曲形状部分２２ａを形成することなく、先端縁部を直線状に形成したものである。図４（ｂ）は、一対の第１切込み２１ａを片側にのみ設けると共に、差込み折曲げ線２０の中央部分に設けられた指掛け片２２の先端縁部を直線状に形成したものであり、図４（ｃ）は、一対の第１切込み２１ａを片側にのみ設けると共に、差込み折曲げ線２０の中央部分に設けられた指掛け片２２の先端縁部を湾曲形状部分２２ａとしたものである。図４（ｄ）は、図４（ｂ）の指欠け開放操作部１６を差込み折曲げ線２０の中央部分から片側にずらせて設けたものであり、図４（ｅ）は、図４（ｃ）の指欠け開放操作部１６を差込み折曲げ線２０の中央部分から片側にずらせて設けたものである。差込み折曲げ線２０から派生させたこれらの指欠け開放操作部１６を備える箱によっても、上記実施形態と略同様に、指欠け開放操作部１６を介することにより、開口部１７を開放する際に、後方側壁部１２ｃの内側面と内フラップ１３との間の隙間から差込みフラップ片１４を指で引き抜く操作を容易に行うことが可能になる。
【００２６】
図５（ａ）〜（ｄ）は、指欠け開放操作部１６のさらに他の形態を例示するものである。これらの指欠け開放操作部１６は、差込み折曲げ線２０と交差する部分を含む、扁平な凸状又は凹凸状の切込み２８を設けることにより、差込み折曲げ線２０から後方側壁部１２ｃの側に張り出す指掛け片２２’を形成するようにしたものである。差込み折曲げ線２０から派生させたこれらの指欠け開放操作部１６を備える箱によっても、上記実施形態と略同様に、指欠け開放操作部１６を介することにより、開口部１７を開放する際に、後方側壁部１２ｃの内側面と内フラップ１３との間の隙間から差込みフラップ片１４を指で引き抜く操作を容易に行うことが可能になる。
【００２７】
図６（ａ），（ｂ）は、指欠け開放操作部１６のさらに他の形態を例示するものである。これらの指欠け開放操作部１６は、差込み折曲げ線２０と交差する部分を含む摘み片用切込み２９を形成することにより、差込みフラップ片１４から切り離される例えば略長円形状の摘み片３０によって構成されるものである。摘み片３０は、後方側壁部１２ｃの内側面に内フラップ１３が差し込まれた際に、例えば差込み折曲げ線２０を介して上方に折り曲げられることにより、後方側壁部１２ｃの内側面に沿って開口部１７を閉塞する外フラップ１５の上方に突出配置されることになる。また摘み片３０には、例えば滑止め用の折曲げ凸部を形成するための滑止め切込み３１が適宜形成される。差込み折曲げ線２０から派生させたこれらの指欠け開放操作部１６を備える箱によっても、開口部１７を開放する際に、摘み片３０を指で摘みつつ差込みフラップ片１４を引き抜く操作を容易に行うことが可能になる。
【００２８】
図７は、指欠け開放操作部１６のさらに他の形態を例示するものである。図７の指欠け開放操作部１６は、第１切込み２１ａと第２切込み２１ｂとを略コの字形状に連続させて指掛け片２２を形成すると共に、差込み折曲げ線２０を前方側壁部１２ａの側に凹状に湾曲させて設け、さらに差込みフラップ片１４の先端縁部に円弧状の切欠き３２を設けたものである。差込み折曲げ線２０を凹状に湾曲させて設けることにより、後方側壁部１２ｃの内側面に内フラップ１３を差し込んで開口部１７を閉塞した際に、後方側壁部１２ｃの内側面と外フラップ１５の先端縁部との間に空間を保持して、これらの間に指を挿入し易くすることが可能になる。
【００２９】
なお、本発明は上記各実施形態に限定されることなく種々の変更が可能である。例えば箱を形成するためのシートは、プラスチックシートの他、厚紙等からなるシートであっても良い。また、開口部の閉塞を維持するロック機構は、差込み折曲げ線の両端部分に形成した切込みに内フラップの基端部分を係止することによるロック機構以外の、その他の種々のロック機構であっても良い。さらに、箱は、矩形のみならず、台形、正方形等のその他の４角形の断面形状や開口部を備えるものであっても良い。
【図面の簡単な説明】
【００３０】
【図１】（ａ），（ｂ）は、本発明の好ましい一実施形態に係る箱の構成を説明する、上面部の開口部を閉塞する状況を示す要部斜視図である。
【図２】本発明の好ましい一実施形態に係る箱を形成するプラスチックシートの展開形状を示す平面図である。
【図３】本発明の好ましい一実施形態に係る箱に設けられた指欠け開放操作部の構成を説明する要部拡大平面図である。
【図４】（ａ）〜（ｅ）は、指欠け開放操作部の他の形態を例示する要部拡大平面図である。
【図５】（ａ）〜（ｄ）は、指欠け開放操作部のさらに他の形態を例示する要部拡大平面図である。
【図６】（ａ），（ｂ）は、指欠け開放操作部のさらに他の形態を例示する要部拡大平面図である。
【図７】指欠け開放操作部のさらに他の形態を例示する要部拡大平面図である。
【符号の説明】
【００３１】
１０  箱
１１  プラスチックシート
１２ａ  前方側壁部
１２ｂ  側方側壁部
１２ｃ  後方側壁部
１３  内フラップ
１３ａ  内フラップの基端部分
１４  差し込みフラップ片
１５  外フラップ
１６  指欠け開放操作部
１７  開口部
１８  前方側壁部の上辺
１９  側方側壁部の上辺
２０  差込み折曲げ線
２１ａ  第１切込み
２１ｂ  第２切込み
２１ｃ  第３切込み
２２  指掛け片
２２ａ  湾曲形状部分
２３  係止切込み
２４  接合片
２５  縦方向折曲げ線
２６  横方向折曲げ線
２７  看板部
【図１】
0004684076.tif 000002
【図２】
0004684076.tif 000003
【図３】
0004684076.tif 000004
【図４】
0004684076.tif 000005
【図５】
0004684076.tif 000006
【図６】
0004684076.tif 000007
【図７】
0004684076.tif 000008